(57)【要約】【課題】電気的な接触良否の検査の適切化を図る。【解決手段】振動発生装置４にはパチンコ遊技機の球を遊技盤に向けて発射するために使用される発射機構１３が設けられ、テスト部品１１は合成樹脂製のコネクタボディに複数のコネクタ端子を備えた構造のコネクタ３５が回路基板３４に実装された構造であり、テスト部品１１が部品取付部６に固定され、コネクタ３５には短絡部材３６およびオシロスコープ３７が取り付けられ、電気制御装置３が電力供給を受けて起動すると、電気制御装置３が発射機構１３をパチンコ遊技機で使用されるのと同じ状況でテスト部品を叩くように駆動し、電気制御装置３から出力された直流電源がプルアップ抵抗器を介して表示灯３０に接続され、短絡部材３６とコネクタ３５との接触・非接触の過渡現象を、オシロスコープ３７で変化のない直線的な電圧波形と分圧抵抗で山形に変化する電圧波形として表示する。【選択図】図１
2007020694.tif 000002
【特許請求の範囲】
【請求項１】
台座の上に電気制御装置、振動発生装置、表示灯装置、部品取付部を備え、台座は振動発生装置から伝達された振動に共振せずに作業台の上に置かれた位置に静止しているだけの重量物として構成され、振動発生装置にはパチンコ遊技機の球を遊技盤に向けて発射するために使用される発射機構が設けられ、表示灯装置には表示灯が設けられ、テスト部品は合成樹脂製のコネクタボディに複数のコネクタ端子を備えた構造のコネクタが回路基板に実装された構造であり、テスト部品が部品取付部に固定され、複数のコネクタ端子には短絡部材およびオシロスコープが取り付けられ、電気制御装置が電力供給を受けて起動すると、電気制御装置が振動発生装置の発射機構をパチンコ遊技機で使用されるのと同じ状況でテスト部品を叩き、電気制御装置から出力された直流電源がプルアップ抵抗器を介して表示灯に接続されたことを特徴とする電気的な遊技部品の電気接続振動検査装置。
【発明の詳細な説明】
【技術分野】
【０００１】
本発明は、遊技中に発生する振動に近似する振動を電気接続器としてのコネクタに与えることによって、コネクタの接触良否の検査が適切に行える遊技部品の電気接続振動検査装置に関する。
【背景技術】
【０００２】
パチンコ遊技機は、搭載された電気部品を電気的に制御するために、入賞検出器、発射操作機構、払出機構、電動遊技部品の電気駆動源などと制御回路基板とを被覆電線で接続する場合、制御回路基板に実装された電気接続器を構成するコネクタと被覆電線に結線された電気接続器を構成するコネクタとを機械的には嵌め合わせることによって電気的に接続している。このようなことから、パチンコ遊技機を製造する会社では、電気的な遊技部品に用いるコネクタの採用を決める場合、採用の可能性の有るコネクタの実装されたテスト部品を作成し、このテスト部品を振動検査装置に装着し、振動検査装置でテスト部品に振動を与え、コネクタが電気的な接触不良を起こすか否かを試験している。しかしながら、係わる振動検査装置は、振子を一定の周期で振り動かすことによって、振子の先端に設けられた錘をテスト部品に衝突させる構造であるため、遊技中に発生する振動に近似する振動をテスト部品である電気的な遊技部品に与えることができないという欠点があった。
【特許文献１】特開平１１−４３３号公報
【発明の開示】
【発明が解決しようとする課題】
【０００３】
発明が解決しようとする問題点は、遊技中に発生する振動に近似する振動を検査対象としてコネクタに与えられないという点である。
【課題を解決するための手段】
【０００４】
本発明に係る遊技部品の電気接続振動検査装置は、台座の上に電気制御装置、振動発生装置、表示灯装置、部品取付部を備え、台座は振動発生装置から伝達された振動に共振せずに作業台の上に置かれた位置に静止しているだけの重量物として構成され、振動発生装置にはパチンコ遊技機の球を遊技盤に向けて発射するために使用される発射機構が設けられ、表示灯装置には表示灯が設けられ、テスト部品は合成樹脂製のコネクタボディに複数のコネクタ端子を備えた構造のコネクタが回路基板に実装された構造であり、テスト部品が部品取付部に固定され、複数のコネクタ端子には短絡部材およびオシロスコープが取り付けられ、電気制御装置が電力供給を受けて起動すると、電気制御装置が振動発生装置の発射機構をパチンコ遊技機で使用されるのと同じ状況でテスト部品を叩き、電気制御装置から出力された直流電源がプルアップ抵抗器を介して表示灯に接続されたことを最も主要な特徴とする。
【発明の効果】
【０００５】
本発明に係る遊技部品の電気接続振動検査装置は、テスト部品を叩く部品として、パチンコ遊技機で使用される発射機構を使用したので、遊技中に発生する振動に近似する振動がテスト部品に与えられ、電気的な接触良否の検査が適切に行えるという利点がある。短絡部材と複数のコネクタ端子とが振動に伴い離れることによって、複数のコネクタ端子の間の抵抗値が増加し、この抵抗値が分圧回路を構成するので、短絡部材と複数のコネクタ端子とが互いに電気的に良好に接続されている状態を、無電圧状態として観測できるという利点がある。複数のコネクタ端子にオシロスコープを接続したので、短絡部材と複数のコネクタ端子との接触・非接触の過渡現象を、オシロスコープに表示される変化のない直線的な電圧波形と分圧抵抗で山形に変化する電圧波形として観測することができるという利点がある。
【発明を実施するための最良の形態】
【０００６】
図１乃至図３は、発明を実施するための最良の形態である。図１は、遊技部品の電気接続振動検査装置１を示す。図２は、検査対象のコネクタ３５に短絡部材３６およびオシロスコープ３７が外付けされた構造を示す。図３は、遊技部品の電気接続振動検査装置１のテスト部品１１の検査中における電気的な接触良否を示す。
【０００７】
図１を参照し、遊技部品の電気接続振動検査装置１の構造について説明する。遊技部品の電気接続振動検査装置１は、台座２の上に、電気制御装置３、振動発生装置４、表示灯装置５、部品取付部６を備える。台座２は、振動発生装置４から伝達した振動を吸収可能な重量を有する金属により構成される。つまり、台座２が試験のための作業台の上に置かれ、振動発生装置４が駆動しても、台座２は、振動発生装置４から伝達された振動に共振せず、作業台の上に置かれた位置に静止しているだけの、重量物である。電気制御装置３は、電源線７に設けられたプラグ８が部屋の商用電源のコンセントに機械的に差し込まれて電気的に接続された状態において、電気制御装置３の上面に設けられた電源スイッチ９が作業者によってオン操作されると、商用電源から供給された交流電源を電気接続振動検査装置１に必要な直流電源に変換して振動発生装置４や表示灯装置５などに供給し、電気制御装置３の上面に設けられた回数表示器１０が部品取付部６に装着されたテスト部品１１に対する振動発生装置４の叩く回数を表示する。
【０００８】
振動発生装置４は、台座２の上面に固定された取付台１２の上面に、発射機構１３を設置した構造である。発射機構１３としては、パチンコ遊技機の前面の受皿に球を入れた状態において、遊技者がパチンコ遊技機の前面の発射操作機構を操作すると、受皿から供給された球を１個ずつ１分間に百発未満の一定の周期でパチンコ遊技機の内部の遊技盤の遊技領域に向けて打ち上げる機構としてパチンコ遊技機に搭載されるものを使用する。発射機構１３は、取付台１２の上面にボルト１４で固定された機構基盤１５の上に、２本のガイドレール１６；１７を互いに機構基盤１５の前後方向と直交する方向に平行となるように固定し、２本のガイドレール１６；１７に電磁ソレノイド１８を移動可能に装着し、電気制御装置３から電線１９を経由して電磁ソレノイド１８の励磁コイル２０への直流電源の供給と遮断とが繰り返されることによって、電磁ソレノイド１８のプランジャ２１が励磁コイル２０による磁力で電磁ソレノイド１８のコア２３から前側に直線的に前進する動作とばね２２によるばね力でコア２３の側に直線的に後退する動作とを繰り返し、プランジャ２１の先端部に設けられたハンマ２４がテスト部品１１を叩くようになっている。２本のガイドレール１６；１７に装着された複数のばね２５；２６；２７は、プランジャ２１が最も前進した停止位置で前後に振動を繰り返したりすることがないように、プランジャ２１が最も後退した停止位置で前後に振動を繰り返したりすることがないように、プランジャ２１の前進・後進時の衝撃を吸収する。これによって、プランジャ２１の１回の前進と後進とによって、ハンマ２４がテスト部品１１を２回以上叩くことがなく１回だけ叩くように動作する。
【０００９】
表示灯装置５は、台座２の上面にボルト２８で固定された表示灯基盤２９の上に、ＬＥＤのような表示灯３０を実装し、テスト部品１１が取付台１２に取り付けられることによって、テスト部品１１と表示灯３０とが互いに被覆電線３１で接続される。部品取付部６は、取付台１２と取付台１２にボルト３２で締結される支持体３３とを備え、ボルト３２の締結が緩められた状態において、テスト部品１１の下部が取付台１２と支持体３３との間の隙間に上方から挿入された後、ボルト３２が支持体３３を貫通して取付台１２に締結されることによって、取付台１２と支持体３３とがテスト部品１１の下部を前後方向から挟む格好で固定する。このようにテスト部品１１が部品取付部６に装着された場合、取付台１２の前面に設けられた図外の電極がテスト部品１１に設けられた図外の電極に機械的に接触して電気的に接続される。取付台１２の前面に設けられた図外の電極には、被覆電線３１が接続される。テスト部品１１は、回路基板３４の上部に、検査対象であるコネクタ３５を実装し、コネクタ３５と上記図外の電極とを互いに回路基板３４の板面に敷設された箔電線で接続した構造である。検査対象のコネクタ３５には、短絡部材３６およびオシロスコープ３７が外付けされる。
【００１０】
遊技部品の電気接続振動検査装置１でテスト部品１１を検査する場合、テスト部品１１の下部が部品取付部６に固定され、短絡部材３６およびオシロスコープ３７が検査対象のコネクタ３５に取り付けられ、プラグ８が図外のコンセントに差し込まれ、電源スイッチ９が作業者によってオン操作される。すると、電気制御装置３が、回数表示器１０の表示を「ゼロ」に戻し、発射機構１３をパチンコ遊技機で使用されるのと同じ状況で動作するように１分間に百発未満の一定の周期で、励磁コイル２０への直流電源の供給と遮断とを交互に繰り返す。これによって、ハンマ２４が前進と後進とを交互に繰り返し、前進するときに、テスト部品１１を叩く。つまり、テスト部品１１がハンマ２４によって、パチンコ遊技機で使用されるのと同じ一定の周期で叩かれる。このテスト部品１１がハンマ２４によって叩かれる回数は、回数表示器１０に積算表示される。回数表示器１０に表示された回数が電気制御装置３の内部のメモリに設定された検査設定回数に到達すると、電気制御装置３が上記励磁コイル２０への直流電源の供給と遮断との繰り返しを停止する。
【００１１】
図２を参照し、検査対象のコネクタ３５に短絡部材３６およびオシロスコープ３７が外付けされる構造について説明する。コネクタ３５は、合成樹脂製のコネクタボディ４１に雌形の複数のコネクタ端子４２；４３を固定的に備えた構造を例示する。コネクタ端子４２；４３は雄形であってもよい。コネクタボディ４１には、複数のコネクタ端子４２；４３に対応する挿入孔４４；４５が、コネクタボディ４１の回路基板３４から離れる側の面から内部への窪みとして設けられる。複数のコネクタ端子４２；４３におけるコネクタボディ４１から外側に突出した部分が回路基板３４の一方の板面から回路基板３４に形成された貫通孔４６；４７に個別に挿入され、コネクタボディ４１が回路基板３４の一方の板面に接触し、複数のコネクタ端子４２；４３における回路基板３４の一方の板面の反対側に位置する他方の板面から突出した部分が回路基板３４の他板面に敷設された箔電極４８；４９に半田５０；５１で個別に結合される。
【００１２】
一方のコネクタ端子４２における半田５０より突出した部分には、オシロスコープ３７の電気的なプラスターミナル５２が、被覆電線５３で接続される。例えば、被覆電線５３の端部に結線された鰐口クリップ５４が、一方のコネクタ端子４２における半田より突出した部分に機械的に挟まれ電気的に接続される。他方のコネクタ端子４３における半田５１より突出した部分には、オシロスコープ３７の電気的なマイナスターミナル５５が、被覆電線５６で接続される。例えば、被覆電線５６の端部に結線された鰐口クリップ５７が、他方のコネクタ端子４３における半田より突出した部分に機械的に挟まれ電気的に接続される。また、一方のコネクタ端子４２に対応する箔電極４８は、回路基板３４の他板面に敷設された箔電線５８によって、回路基板３４の他板面に敷設された箔電極５９に接続される。箔電極５９には、表示端子６０が半田６１で結合される。他方のコネクタ端子４３に対応する箔電極４９は、回路基板３４の他板面に敷設された箔電線６２によって、回路基板３４の他板面に敷設された箔電極６３に接続される。箔電極６３には、アース線６４が半田６５で結合される。
【００１３】
短絡部材３６は、合成樹脂製の短絡ボディ６８に雄形の複数の短絡端子６９；７０を備えた構造を例示する。コネクタ端子４２；４３が雄形であれば、短絡端子６９；７０は雌形となる。複数の短絡端子６９；７０における短絡ボディ６８より一方の側に突出した部分は、互いに、短絡電線７１が半田７２；７３で機械的に結合されて電気的に接続される。複数の短絡端子６９；７０における短絡ボディ６８より他方の側に突出した部分は、検査対象のコネクタ３５の複数の挿入孔４４；４５を経由して複数のコネクタ端子４２；４３に機械的に嵌め込まれて電気的に接続される。表示端子６０には表示灯３０が被覆電線３１で接続される。電線７５の端部に結線された鰐口クリップ７６が表示端子６０に機械的に挟まれ電気的に接続される。鰐口クリップ７６は被覆電線３１に接続された図１での図外の電極に相当する。表示灯３０には直流電源７７がプルアップ抵抗器７８を介して接続される。直流電源７７は図１の電気制御装置３から出力される直流電源である。
【００１４】
図３を参照し、遊技部品の電気接続振動検査装置１のテスト部品１１の検査中における電気的な接触良否について説明する。図３のａ図は、複数の短絡端子６９；７０と複数のコネクタ端子４２；４３とが発射機構１３からの振動を受けても互いに電気的に良好に接続されている場合を示す。図３のａ図では、複数の短絡端子６９；７０と複数のコネクタ端子４２；４３とが互いに電気的に良好に接続されているので、直流電源が、プルアップ抵抗器７８、表示灯３０、短絡部材３６を経由してアース７９に円滑に流れ、表示灯３０が点灯し、オシロスコープ３７の波形表示部８０には「ゼロ」で変化のない直線的な電圧波形８１が表示される。
【００１５】
図３のｂ図は、複数の短絡端子６９；７０と複数のコネクタ端子４２；４３とが発射機構１３からの振動を受けて互いに電気的に良好に接続されていない場合を示す。つまり、図３のｂ図では、複数の短絡端子６９；７０と複数のコネクタ端子４２；４３とが互いに電気的に良好に接続されていないので、複数の短絡端子６９；７０と複数のコネクタ端子４２；４３とが振動に伴い離れることによって、複数のコネクタ端子４２；４３の間の抵抗値８２が増加する。この増加した抵抗値８２がプルアップ抵抗器７８の抵抗値に対する分圧抵抗となる。よって、直流電源が、プルアップ抵抗器７８、表示灯３０、短絡部材３６を経由してアースに流れにくくなり、表示灯３０が消灯し、オシロスコープ３７の波形表示部８０には上記増加した抵抗値８２により山形に変化する電圧波形８３として表示される。
【００１６】
最良の形態は、テスト部品１１を叩く部品として、パチンコ遊技機で使用される発射機構１３を使用したので、遊技中に発生する振動に近似する振動がテスト部品１１に与えられ、電気的な接触良否の検査が適切に行えるという利点がある。また、複数の短絡端子６９；７０と複数のコネクタ端子４２；４３とが振動に伴い離れることによって、複数のコネクタ端子４２；４３の間の抵抗値８２が増加し、この抵抗値８２が分圧回路を構成するので、複数の短絡端子６９；７０と複数のコネクタ端子４２；４３とが互いに電気的に良好に接続されている状態を、無電圧状態として観測できるという利点がある。複数のコネクタ端子４２；４３にオシロスコープ３７を接続したので、複数の短絡端子６９；７０と複数のコネクタ端子４２；４３との接触・非接触の過渡現象を、オシロスコープ３７の波形表示部８０に表示される電圧波形８１；８３として観測することができるという利点がある。
【産業上の利用可能性】
【００１７】
パチンコ遊技機において、遊技盤に設けられた入賞部品に入賞した球を電気的に検出する入賞検出器として近接スイッチが用いられている。この近接スイッチは、球を検出した信号として、信号の幅が０．００２乃至０．００３秒のパルス信号を制御回路基板に出力する。よって、近接スイッチの被覆電線に設けられたコネクタと制御回路基板に設けられたコネクタとの互いに接触し合っている部分であるコネクタ接続点が瞬間でも離れると、近接スイッチから球を検出した信号が制御回路基板に出力されていないのに、制御回路基板に搭載されたＣＰＵは近接スイッチから球を検出した信号が入力されたものと間違った信号検出動作を行い、結果として、制御回路基板が球を払い出すように払出機構を制御し、入賞がないのに、賞球としての球が遊技者の側に払いだされるという誤動作を生じる。このため、遊技部品の電気接続振動検査装置１で検査する対象を、上記入賞検出器としての近接スイッチが接続されるコネクタとして制御回路基板に搭載するものとすれば、作業者がコネクタ接触点での瞬間的な過渡現象を適切に観測できるという利点がある。つまり、従来はミリバル計のようなアナログ測定で過渡現象までは検証できなかったのに対し、遊技部品の電気接続振動検査装置１によれば、発生する振動の１回ごとに対するコネクタ接触点で発生する電気的な過渡現象をストレージオシロスコープからなるオシロスコープ３７の波形表示部８０に表示される電圧波形８１；８３として作業者の目で確認することができるという利点がある。
【図面の簡単な説明】
【００１８】
【図１】遊技部品の電気接続振動検査装置の斜視図（最良の形態）。
【図２】コネクタに短絡部材およびオシロスコープが外付けされた構造の模式図（最良の形態）。
【図３】ａ図はテスト部品の電気的な接触良好な状態を示す模式図、ｂ図はテスト部品の電気的な接触不良な状態を示す模式図（最良の形態）。
【符号の説明】
【００１９】
１    電気接続振動検査装置
２    台座
３    電気制御装置
４    振動発生装置
５    表示灯装置
６    部品取付部
１１  テスト部品
１３  発射機構
３０  表示灯
３４  回路基板
３５  コネクタ
３６  短絡部材
３７  オシロスコープ
４１  コネクタボディ
４２  コネクタ端子
４３  コネクタ端子
７７  直流電源
７８  プルアップ抵抗器
【図１】
2007020694.tif 000003
【図２】
2007020694.tif 000004
【図３】
2007020694.tif 000005